(57)【特許請求の範囲】
【請求項１】
移動電極式電気集塵装置に装備され、上部駆動ホイールと下部ローラー間の上下方向に張り渡した一対の無端チェーンに矩形状の複数枚の集塵極板を懸垂させた移動電極に対して、前記無端チェーンを最下部位置で切り離し、この切り離した無端チェーンの端部に新規チェーンの一端を接続し、これらのチェーンを前記上部駆動ホイールを介して周回移動させつつ、前記集塵極板を順次、前記無端チェーンから前記新規チェーンに付け替え、前記新規チェーンが一周した段階で前記無端チェーンの端部と新規チェーンの一端を切り離し、次いで新規チェーンの他端を前記新規チェーンの一端と連結することによって、この新規チェーンを新規の無端チェーンとするとともに、チェーンを移動させる際にはチェーンの上り側と下り側にそれぞれチェーンの動きを規制する移動拘束手段を係合させ、これらの移動拘束手段を操作することによって前記チェーンを上部駆動ホイールを介して周回移動させることを特徴とする移動電極用チェーンの取り替え方法。
【請求項２】
移動電極式電気集塵装置に装備され、上部駆動ホイールと下部ローラー間の上下方向に張り渡した一対の無端チェーンに矩形状の複数枚の集塵極板を懸垂させた移動電極の前記無端チェーンを以下に記載したａ〜ｇの順序によって取り替えることを特徴とする移動電極用チェーンの取り替え方法。
ａ．前記一対の無端チェーンの少なくとも一方にチェーンの動きを規制する移動拘束手段を取り付けるともに、最下方位置の集塵極板を一枚以上チェーンから取外す。
ｂ．前記一対の無端チェーンを最下部位置で切り離す。
ｃ．前記一対の切り離した上り側チェーンの下端に、それぞれ取替用の新規チェーンの一端を接続する。
ｄ．前記移動拘束手段を操作し下り側チェーンを前記集塵極板の少なくとも一枚分だけ引き下げることによって、前記一対の上り側チェーンを前記新規チェーンと共に引き上げる。
ｅ．前記引き下げた下り側チェーンの下端側から前記集塵極板を取外すと共に、既に取外した前記集塵極板を前記引き上げた新規チェーンの一端側から取り付ける。
ｆ．上記ｄ，ｅの操作を繰り返すことによって、前記新規チェーンの一端側が前記上部駆動ホイールを経由して一周した段階で前記無端チェーンの端部と新規チェーンの一端を切り離す。
ｇ．次いで新規チェーンの他端を前記新規チェーンの一端と連結することによって、この新規チェーンを新規の無端チェーンとする。
【発明の詳細な説明】
【０００１】
【発明の属する技術分野】
本発明は移動電極式電気集塵装置の移動電極用チェーンの取り替え方法に係り、特にケーシング内に所定の間隔を有して吊り下げられる多数の放電枠と、一対の無端チェーンに懸垂された複数枚の集塵極板によって全体としてループを形成し、前記放電枠を一個置きに周回する多数の移動電極とを備えた移動電極式電気集塵装置の移動電極用チェーンの取り替え方法に関する。
【０００２】
【従来の技術】
この種の移動電極式電気集塵装置は、例えば火力発電所のボイラー排ガスや製鉄用各種炉の排ガス中の煤塵を除去するための電気集塵装置として知られている。その概略構造を図４〜図８に基づいて説明する。
【０００３】
図４において、移動電極式電気集塵装置１０はケーシング１２と、このケーシング１２の下部のホッパー１３と、ケーシング１２内に配設された多数の放電枠１４及び多数の移動電極１５とによって構成されており、入口煙道１６からケーシング１２内に導入された排ガス１７は、電気集塵の原理によって除塵され、出口煙道１８から排出される。捕集された煤塵はホッパー１３内に落下し、図示されない機構によって、排出口１９から取り出す。
【０００４】
図５は図４のＡ−Ａ矢視図であり、ケーシング１２内には所定の間隔を有して吊り下げられる多数の放電枠１４が吊り下げられている。又、この放電枠１４を一個置きに周回する多数の移動電極１５が配設されている。図６は放電枠１４の取り付け構造を示すし側面図であり、図７は図６のＢ−Ｂ矢視図である。放電枠１４は格子状の枠体２０に多数本の放電線２１を張ったものであり、碍管２２から吊りロッド２３を介して吊り下げたフレーム２４の上段ビーム２５と下段ビーム２６に各放電枠１４から張り出した上部ブラケット２７と下部ブラケット２８をそれぞれ係止することによって吊り下げられている。なお、符号２９、３０は移動電極１５の駆動ホイール及び下部ローラーを示す。
【０００５】
図８は移動電極１５の詳細構造を示す斜視図であり、上部の駆動ホイール２９と下部ローラー３０との間には一対の無端チェーン３１、３１が張り渡されており、この一対の無端チェーン３１、３１に複数枚の集塵極板３２がその幅方向の中間部３３の位置でで係止されることによって懸垂されており、全体としてループを形成している。駆動ホイール２９の軸３４は図示されない駆動機構によって回転し、この軸３４の回転が駆動ホイール２９と噛み合う一対の無端チェーン３１、３１に伝達されて、前記ループを形成する複数枚の集塵極板３２が前記放電枠１４を一個置きに周回移動する。
【０００６】
前記の移動電極式電気集塵装置１０は全体の高さが通常２５〜３０メートルに達する。また、移動電極１５の全長は通常１５〜２５メートルに達する。
【０００７】
ところで、この移動電極式電気集塵装置を長期間運転した場合、特に前記移動電極１５の一対の無端チェーン３１、３１は煤塵や場合によっては腐食性のガスが存在する雰囲気下で駆動するので、装置を構成する他の部材に比べて損耗が激しく、寿命が短い。このため、図８に示した移動電極１５を構成する各種部材のうち一対の無端チェーン３１、３１のみを定期的に取り替える必要がある。
【０００８】
【発明が解決しようとする課題】
しかしながら、図５に示したように移動電極式電気集塵装置ではケーシング１２内に多数の放電枠１４と移動電極１５が狭いピッチで交互に並列して配置されている。しかも、移動電極１５の全長は前記したように通常１５〜２５メートルに達する。このような条件下で放電枠１４、駆動ホイール２９などの位置を移動せずに、一対の無端チェーン３１、３１のみを取り替え、かつ、取り替えた新規の無端チェーンに元の集塵極板３２を付け替えする作業は技術的に極めて難しく、かつ多大な時間と労力とを必要とする難工事であった。通常、この種の電気集塵装置の補修は、発電所や製鉄所など本体プラントの稼動効率の関係から、その補修期間が制約されており、限られた短期間に上記難工事を終えることが不可能となる事態も生じていた。
【０００９】
本発明の目的は、上記の従来技術の課題を解決して、移動電極式電気集塵装置における移動電極用チェーンの取り替え工事を、効率よく短期間に行うことができる方法を提供することにある。
【００１０】
【課題を解決するための手段】
【００１１】
【課題を解決するための手段】
本発明に係る移動電極用チェーンの取り替え方法は、移動電極式電気集塵装置に装備され、上部駆動ホイールと下部ローラー間の上下方向に張り渡した一対の無端チェーンに矩形状の複数枚の集塵極板を懸垂させた移動電極に対して、前記無端チェーンを最下部位置で切り離し、この切り離した無端チェーンの端部に新規チェーンの一端を接続し、これらのチェーンを前記上部駆動ホイールを介して周回移動させつつ、前記集塵極板を順次、前記無端チェーンから前記新規チェーンに付け替え、前記新規チェーンが一周した段階で前記無端チェーンの端部と新規チェーンの一端を切り離し、次いで新規チェーンの他端を前記新規チェーンの一端と連結することによって、この新規チェーンを新規の無端チェーンとするとともに、チェーンを移動させる際にはチェーンの上り側と下り側にそれぞれチェーンの動きを規制する移動拘束手段を係合させ、これらの移動拘束手段を操作することによって前記チェーンを上部駆動ホイールを介して周回移動させることを特徴とする。
【００１２】
また、本発明に係る移動電極用チェーンの取り替え方法は、移動電極式電気集塵装置に装備され、上部駆動ホイールと下部ローラー間の上下方向に張り渡した一対の無端チェーンに矩形状の複数枚の集塵極板を懸垂させた移動電極の前記無端チェーンを以下に記載したａ〜ｇの順序によって取り替えることを特徴とする。
ａ．前記一対の無端チェーンの少なくとも一方にチェーンの動きを規制する移動拘束手段を取り付けるともに、最下方位置の集塵極板を一枚以上チェーンから取外す。
ｂ．前記一対の無端チェーンを最下部位置で切り離す。
ｃ．前記一対の切り離した上り側チェーンの下端に、それぞれ取替用の新規チェーンの一端を接続する。
ｄ．前記移動拘束手段を操作し下り側チェーンを前記集塵極板の少なくとも一枚分だけ引き下げることによって、前記一対の上り側チェーンを前記新規チェーンと共に引き上げる。
ｅ．前記引き下げた下り側チェーンの下端側から前記集塵極板を取外すと共に、既に取外した前記集塵極板を前記引き上げた新規チェーンの一端側から取り付ける。
ｆ．上記ｄ，ｅの操作を繰り返すことによって、前記新規チェーンの一端側が前記上部駆動ホイールを経由して一周した段階で前記無端チェーンの端部と新規チェーンの一端を切り離す。
ｇ．次いで新規チェーンの他端を前記新規チェーンの一端と連結することによって、この新規チェーンを新規の無端チェーンとする。
【００１３】
【発明の実施の形態】
図１〜図３に本発明の実施例を示す。図１は実施例における初期の段階、図２は中間の段階、図３は最後の段階を示す説明図である。
【００１４】
図１（イ）はチェーン取り替え前の移動電極の構成を示し、上部の駆動ホイール２９と下部ローラー３０との間には上下方向に一対の無端チェーン３１、３１が張り渡してある。図においてはその内の一方の無端チェーン３１のみが示され、他方の無端チェーン３１は紙面に対して垂直方向に隠れて存在し、以下の説明では両方の無端チェーンが同様の扱いを受けて取り替えられるものとする。無端チェーン３１には矩形状の複数枚の集塵極板３２Ａ，３２Ｂ，３２Ｃ、……，３２Ｎが懸垂されている。下部ローラー３０は図示されないガイドに沿って上下方向に移動自在とされ、この下部ローラー３０の自重が無端チェーン３１に作用して無端チェーン３１は緊張している。
【００１５】
図１（ロ）は取り替え作業の第１段階を示したものである。まず、無端チェーン３１の移動を拘束するための手段として、無端チェーン３１の左右をチェーンブロック４０、４１で拘束する。左側のチェーンブロック４０でチェーン４２を緩めながら、右側のチェーンブロック４１でチェーン４３を引っ張ることによって、無端チェーン３１の左側は上昇し、右側は下降する。以下、説明の便宜上、無端チェーン３１の左側を上り側チェーン３１Ａ、右側を下り側チェーン３１Ｂと称する。
【００１６】
次に、下部ローラー３０を図示しないガイドに沿って引き上げて図示の位置に固定することによって、下部ローラー３０の荷重を無端チェーン３１から解放する。その後、無端チェーン３１の最下方位置にある２枚の集塵極板３２Ａ，３２Ｂを無端チェーン３１から取外す。次に、無端チェーン３１を下部位置で切り離す。
【００１７】
次に、切り離した上り側チェーン３１Ａの下端に取替用の新規チェーン５１の一端を接続し接続点５０とする。なお、符号５２は新規チェーン５１を収容した容器である。以上の第１段階の作業が終了した状態が図１（ロ）に示されている。
【００１８】
図２（イ）は取り替え作業の第２段階を示したものである。まず、図１（ロ）の状態から、前記チェーンブロック４０、４１を操作して、下り側チェーン３１Ｂを集塵極板３２の一枚分だけ引き下げることによって、この下り側チェーン３１Ｂに連続する上り側チェーン３１Ａは前記新規チェーン５１と共に集塵極板３２の一枚分だけ引き上がる。
【００１９】
次に、前記引き下げた下り側チェーン３１Ｂの下端側から集塵極板３２Ｃを取外す。次に、上記と同様の操作によって、さらに下り側チェーン３１Ｂを集塵極板３２の一枚分だけ引き下げ、下り側チェーン３１Ｂの下端側から集塵極板３２Ｄを取外すと共に、既に取外した前記集塵極板３２Ａを前記引き上げた新規チェーン５１の一端側から取り付けていく。上記の作業によって集塵極板３２Ｃ，３２Ｄを取外した下り側チェーン３１Ｂの下端側は容器５３に収納していく。以上の第２段階の作業が終了した状態が図２（イ）に示されている。
【００２０】
図２（ロ）は取り替え作業の第３段階を示したものである。図２（イ）の状態から、前記と同様に、下り側チェーン３１Ｂの引き下げと下り側チェーン３１Ｂからの集塵極板３２の取外し、並びに新規チェーン５１の引き上げと新規チェーン５１への集塵極板３２の再取付を繰り返す。この繰り返しによって図２（イ）の状態から、さらに７枚の集塵極板３２Ｅ〜３２Ｋを取外し、７枚の集塵極板３２Ｂ〜３２Ｈを新規チェーン５１に再取付した状態が図２（ロ）に示されている。
【００２１】
図３（イ）は取り替え作業の第４段階を示したものである。図３（ロ）の状態から、前記と同様にさらに下り側チェーン３１Ｂからの集塵極板３２の取外しと新規チェーン５１への集塵極板３２の再取付が進行させる。最後の集塵極板３２Ｎを取外した段階では、接続点５０すなわち新規チェーン５１の一端は前記上部駆動ホイールを経由して一周し、前記下部ローラーの近傍位置に達している。したがって、この段階で新規チェーン５１の一端と無端チェーン３１の端部とを前記接続点５０の位置で切り離す。切り離した無端チェーン３１は容器５３に収納する。この状態が図３（イ）に示されており、最後の集塵極板３２Ｎのみが、まだ新規チェーン５１に再取付されていない。
【００２２】
図３（ロ）は取り替え作業の第５段階を示したものである。図３（イ）の状態から、新規チェーン５１の一端と最後尾の他端とを連結することによって、この新規チェーン５１を新規の無端チェーン３１とする。次に、この新規の無端チェーン３１に集塵極板３２Ｎを取り付けることによって、全体としてループを形成する移動電極が完成させ、最後に下部ローラー３０を引き降ろしてその荷重を新規の無端チェーン３１に預けることにより、１単位の移動電極用チェーンの取り替え作業が完了する。以下、同様の方法により複数の移動電極について、順次チェーンの取り替え作業を進める。
【００２３】
以上に詳述したように本実施例によれば、無端チェーン３１と新規チェーン５１との取り替え作業及び集塵極板３２の付け替え作業を極めて円滑に、かつシステマチックに実施することができる。このため、移動電極式電気集塵装置における移動電極用チェーンの取り替え工事を、効率よく短期間に行うことができる。また、作業の位置は下部ローラー３０の近傍位置に限られるので、駆動ローラー２９近傍での高所作業を必要とせず、作業を安全に進めることができる。下部ローラー３０の近傍位置での作業を安全に行うためには、作業に先立ってこの位置に堅固な足場を築くことは当然である。
【００２４】
また、前記したチェーンブロック４０、４１の操作にあたっては、必要に応じてチェーンブロックの掛け替えを行うことも当然である。チェーンブロック４０、４１は一対の無端チェーン３１、３１又は一対の新規チェーン５１、５１に対して、いずれか一方に設ければ十分である。すなわち、本実施例においてはこれらの一対のチェーンはすべての段階で多数の集塵極板３２によって連結された状態にあるので、一方のチェーンさえ確実に移動又は拘束すれば他方のチェーンはこれに連動する。
【００２５】
前記実施例では、作業途中における無端チェーン３１又は新規チェーン５１を移動又は拘束する手段として、２個のチェーンブロック４０、４１を用いる例を示したが、チェーンの移動拘束手段はこれに限らず公知の各種の手段を用いることができる。
また、前記実施例では、チェーンの取り替え作業の手順を詳細に記述したが、本発明の技術思想を逸脱しない限り、手順が互いに前後することはなんら差し障りはない。
【００２６】
【発明の効果】
本発明によれば、移動電極式電気集塵装置における移動電極用チェーンの取り替え工事を、効率よく短期間に行うことができる。
【図面の簡単な説明】
【図１】 本発明の実施例における初期の段階を示す説明図である。
【図２】 本発明の実施例における中間の段階を示す斜視図である。
【図３】本発明の実施例における最後の段階を示す説明図である。
【図４】移動電極式電気集塵装置の一般的な構成を示す側断面図である。
【図５】図４のＡ−Ａ矢視図である。
【図６】放電枠の取り付け構造を示す側面図である。
【図７】図６のＢ−Ｂ矢視図である。
【図８】移動電極の詳細構造を示す斜視図である。
【符号の説明】
１２………ケーシング
１３………ホッパー
１４………放電枠
１５………移動電極
２９………駆動ホイール
３０………下部ローラー
３１………無端チェーン
３１Ａ……上り側チェーン
３１Ｂ……下り側チェーン
３２………集塵極板
４０………チェーンブロック
４１………チェーンブロック
５０………接続点
５１………新規チェーン
５２………容器
【図１】
0003951506.tif 000002
【図２】
0003951506.tif 000003
【図３】
0003951506.tif 000004
【図４】
0003951506.tif 000005
【図５】
0003951506.tif 000006
【図６】
0003951506.tif 000007
【図７】
0003951506.tif 000008
【図８】
0003951506.tif 000009